(57)【要約】【課題】下腿支持面の傾動角度に拘わらず、着座者が足裏押し付けバーの下方から容易に足を引き抜くことができる椅子装置を提供する。【解決手段】椅子装置１は、椅子本体ブロック２と、膝下支持ブロック２５と、足裏押し付けバー３２を備えている。膝下支持ブロック２５は、下腿支持面２０と足置き面２４を有している。膝下支持ブロック２５は、着座面１４に対する下腿支持面２０の前後方向の傾動角度を調整可能とされている。足裏押し付けバー３２は、足置き面２４の上方側で、着座者の足裏を押し付け可能とされている。足裏押し付けバー３２は、椅子幅方向に沿って延出するとともに、支持部材２７を介して膝下支持ブロック２５に支持されている。足裏押し付けバー３２の椅子幅方向の側部と足置き面２４の間には、椅子幅方向の側方に開放される側方開放部３３が設けられている。【選択図】図１
2018183456.tif 000002
【特許請求の範囲】
【請求項１】
着座面を有する椅子本体ブロックと、
着座者の下腿を支持する下腿支持面と着座者の足を載せ置き可能な足置き面を有し、前記椅子本体ブロックの前部に配置されて、前記着座面に対する前記下腿支持面の前後方向の傾動角度を調整可能な膝下支持ブロックと、
前記膝下支持ブロックに支持され、前記足置き面の上方側で、着座者の足裏を押し付け可能な足裏押し付けバーと、を備え、
前記足裏押し付けバーは、椅子幅方向に沿って延出するとともに、支持部材を介して前記膝下支持ブロックに支持され、
前記足裏押し付けバーの椅子幅方向の側部と前記足置き面の間には、椅子幅方向の側方に開放される側方開放部が設けられていることを特徴とする椅子装置。
【請求項２】
前記足裏押し付けバーは、延出方向の中央領域に前記支持部材が連結され、前記足裏押し付けバーの椅子幅方向の両側の側部と前記足置き面の間には、夫々前記側方開放部が設けられていることを特徴とする請求項１に記載の椅子装置。
【請求項３】
前記支持部材は、前記足裏押し付けバーの位置を調整可能な位置調整部を介して前記膝下支持ブロックに支持されていることを特徴とする請求項１または２に記載の椅子装置。
【請求項４】
前記位置調整部は、椅子幅方向に沿う回動軸の回りに回動可能な回動調整機構によって構成されていることを特徴とする請求項３に記載の椅子装置。
【請求項５】
前記位置調整部は、
前記足裏押し付けバーの前記着座面に近接する側への変位のみを許容するワンウェイ機構と、
前記ワンウェイ機構が前記着座面に近接する側の可動端に達したときに、前記ワンウェイ機構を一時解除して前記足裏押し付けバーの前記着座面から離反する側への変位を許容するリセット機構と、
を備えていることを特徴とする請求項３または４に記載の椅子装置。
【発明の詳細な説明】
【技術分野】
【０００１】
本発明は、椅子装置に関するものである。
【背景技術】
【０００２】
医療機関での点滴投与の際等に用いられる椅子装置は、患者が長時間快適に座り続けることができるように、各種の機構が装備されている。例えば、患者が着座する椅子本体ブロックの前部に、患者の下腿部を支持する下腿支持面と患者が足を載せ置く足置き面を有する膝下支持ブロックが設けられ、膝下支持ブロックの下腿支持面と足置き面の前後方向の傾動角度を自由に調整できるようにしたものが案出されている（例えば、特許文献１参照）。
【先行技術文献】
【特許文献】
【０００３】
【特許文献１】特開２０１５−８０５６８号公報
【発明の概要】
【発明が解決しようとする課題】
【０００４】
ところで、点滴投与の際等に用いることができる椅子装置では、着座者の下腿部や足が攣ったとき等に、着座者自身で足裏部分を押し付けることができる足裏押し付けバーを備えていることが望まれている。
【０００５】
椅子装置に足裏押し付けバーを設ける場合、足裏押し付けバーは椅子幅方向に沿うように足載せ面の上方に配置され、左右の端部が支持部材を介して膝下支持ブロックに支持されることになる。しかし、この構造の場合、着座者が足先を足裏押し付けバーの下方に差し込んだ状態で下腿支持面が傾動操作されると、着座者の足が足載せ面と足裏押し付けバーの間に挟まれて、脛や足の甲部分が足裏押し付けバーに押し付けられることが懸念される。このとき、着座者は足裏押し付けバーの下方から足を速やか引き抜けば良いが、足裏押し付けバーの両側に支持部材があると、下腿支持面の傾斜角度等によっては足を引き抜くことが難しい。
【０００６】
そこで本発明は、下腿支持面の傾動角度に拘わらず、着座者が足裏押し付けバーの下方から容易に足を引き抜くことができる椅子装置を提供しようとするものである。
【課題を解決するための手段】
【０００７】
本発明に係る椅子装置は、上記課題を解決するために、以下の構成を採用した。
即ち、本発明に係る椅子装置は、着座面を有する椅子本体ブロックと、着座者の下腿を支持する下腿支持面と着座者の足を載せ置き可能な足置き面を有し、前記椅子本体ブロックの前部に配置されて、前記着座面に対する前記下腿支持面の前後方向の傾動角度を調整可能な膝下支持ブロックと、前記膝下支持ブロックに支持され、前記足置き面の上方側で、着座者の足裏を押し付け可能な足裏押し付けバーと、を備え、前記足裏押し付けバーは、椅子幅方向に沿って延出するとともに、支持部材を介して前記膝下支持ブロックに支持され、前記足裏押し付けバーの椅子幅方向の側部と前記足置き面の間には、椅子幅方向の側方に開放される側方開放部が設けられていることを特徴とする。
【０００８】
上記の構成により、例えば、着座状態の着座者の下腿部や足が攣ったときには、着座者が足置き面の上方側に配置されている足裏押し付けバーに足裏を押し当てることにより、下腿部や足の攣りを解消することができる。また、足置き面の上方側に足裏押し付けバーが配置されている状態において、着座中の着座者の足が足裏押し付けバーの下方に差し入れられることがある。この状態において、例えば、下腿支持面が傾動操作されるとき等には、着座者は足裏押し付けバーの下方から足を引き抜こうとする。本発明に係る椅子装置においては、足裏押し付けバーの椅子幅方向の側部と足置き面の間に側方開放部が設けられているため、着座者は側方開放部の方向に足をずらすだけで、足裏押し付けバーの下方から足を側方に引き抜くことができる。
【０００９】
前記足裏押し付けバーは、延出方向の中央領域に前記支持部材が連結され、前記足裏押し付けバーの椅子幅方向の両側の側部と前記足置き面の間には、夫々前記側方開放部が設けられるようにしても良い。
この場合、左右のいずれの足が足裏押し付けバーの下方に差し入れられているときにも、近接する側の側方開放部を通して足裏押し付けバーの下方から容易に足を引き抜くことができる。また、着座者の足が、足裏押し付けバーの左右の対応する側の側部の下方に差し入れられている状態では、足を外向きに開くようにして足裏押し付けバーの下方から足を引き抜くことができる。したがって、着座者の体に負担をかけない自然な挙動で足を足裏押し付けバーの下方から引き抜くことができる。
【００１０】
前記支持部材は、前記足裏押し付けバーの位置を調整可能な位置調整部を介して前記膝下支持ブロックに支持されるようにしても良い。
この場合、位置調整部によって足裏押し付けバーの位置を適宜調整することにより、着座者の足裏を最適位置で足裏押し付けバーに押し付けることが可能になる。位置調整部による足裏押し付けバーの調整位置によっては、意図せずに着座者の足が足裏押し付けバーの下方に移動し易くなることもあるが、この場合も着座者は側方開放部を通して足を足裏押し付けバーの下方から側方に容易に引き抜くことができる。
【００１１】
前記位置調整部は、椅子幅方向に沿う回動軸の回りに回動可能な回動調整機構によって構成されるようにしても良い。
この場合、回動調整機構によって支持部材を、椅子幅方向に沿う回動軸を中心にして回動させることにより、足裏押し付けバーの高さと前後位置を調整することが可能になる。回動調整機構によって足裏押し付けバーの高さと前後位置が調整されると、その調整位置によっては、意図せずに着座者の足が足裏押し付けバーの下方に移動する可能性が高くなる。しかし、着座者の足が足裏押し付けバーの下方に移動した場合には、着座者は側方開放部を通して足を足裏押し付けバーの下方から側方に容易に引き抜くことができる。
【００１２】
前記位置調整部は、前記足裏押し付けバーの前記着座面に近接する側への変位のみを許容するワンウェイ機構と、前記ワンウェイ機構が前記着座面に近接する側の可動端に達したときに、前記ワンウェイ機構を一時解除して前記足裏押し付けバーの前記着座面から離反する側への変位を許容するリセット機構と、を備えるようにしても良い。
この場合、着座者は、例えば、足を足裏押し付けバーの下方に差し入れ、足先に足裏押し付けバーを引っ掛けて手前に引くことにより、足裏押し付けバーを着座面に近接する側に変位させることができる。このとき、位置調整部のワンウェイ機構が機能し、足裏押し付けバーの着座面に近接する側への変位は許容されるが、逆側への変位は規制される。このため、足裏押し付けバーが任意の位置になったところで、着座者が足を足裏押し付けバーの下方から引き抜き、足裏押し付けバーに上方側から足裏を押し付けても、足裏押し付けバーによって荷重を受け止めることが可能になる。したがって、着座した状態の着座者の足のみの操作によっても、足裏押し付けバーの位置を任意の位置に容易に調整することができる。また、足裏押し付けバーを一旦着座面に近接する側に変位させた後に、それよりも着座面から離反する側に位置調整する場合には、足先による足裏押し付けバーの操作によってワンウェイ機構を着座面に近接する側の可動端まで操作し、リセット機構を機能させる。こうしてリセット機構が機能すると、足裏押し付けバーの着座面から離反する側の操作が許容されるようになる。リセット機構の機能によって足裏押し付けバーが所定の位置まで戻されると、再度、ワンウェイ機構の機能により、足裏押し付けバーを最適位置に調整することが可能になる。
【発明の効果】
【００１３】
本発明によれば、足裏押し付けバーの椅子幅方向の側部と足置き面の間に側方開放部が設けられているため、着座者が足裏押し付けバーの下方から足を引く抜きときには、下腿支持面の傾動角度に拘わらず、着座者が側方開放部の方向に足をずらすだけで足裏押し付けバーの下方から足を容易に引き抜くことができる。
【図面の簡単な説明】
【００１４】
【図１】本発明の一実施形態の椅子装置の斜視図である。
【図２】本発明の一実施形態の椅子装置の側面図である。
【図３】本発明の一実施形態の椅子装置の一部を拡大した側面図である。
【図４】本発明の一実施形態の椅子装置の一部の斜視図である。
【図５】本発明の一実施形態の椅子装置の一部の斜視図である。
【図６】本発明の一実施形態の椅子装置の一部の上面図である。
【発明を実施するための形態】
【００１５】
以下、本発明の一実施形態を図面に基づいて説明する。なお、以下の説明における前後、左右及び上下の向きは、椅子装置の背凭れに背を向けて着座した着座者から見た向きを基準とする。
【００１６】
図１は、本発明に係る椅子装置１を前部右斜め上方から見た図であり、図２は、椅子装置１を左側方から見た図である。
本実施形態に係る椅子装置１は、医療用や介護用等に用いられるリクライニング椅子であり、長時間着座して使用する際にも着座者ｍが様々な姿勢を採ることができるように、椅子の各部の姿勢や位置、高さ等を調整可能とされている。
【００１７】
椅子装置１は、床面Ｆ上に設置されるボックス状の機構収納部１０の上部に、座体１１と背凭れ１２が支持されている。本実施形態においては、機構収納部１０と座体１１と背凭れ１２が椅子本体ブロック２の主要部を構成している。機構収納部１０の下面には、床面Ｆ上を転動可能な複数のキャスター１３が取り付けられている。椅子本体ブロック２は、キャスター１３を介して床面Ｆ上を移動できるようになっている。
【００１８】
座体１１は、機構収納部１０の上面側に設置され、その上面は、平面視が略矩形状の着座面１４とされている。着座面１４は、着座者ｍの臀部及び腿部を支持可能とされている。
【００１９】
背凭れ１２は、機構収納部１０の後上部に配置され、座体１１の後部において前後方向に傾動可能とされている。より詳細には、背凭れ１２は、座体１１の後方で略直角に起立する起立位置と、座体１１の後方で略水平に後傾したリクライニング位置と、の間で傾動可能とされている。背凭れ１２は、機構収納部１０内に収納されたモータや油圧シリンダ等のアクチュエータ１５によって傾動調整可能とされている。背凭れ１２は、起立状態の前面側が背凭れ面１６とされている。背凭れ面１６は、着座面１４に着座した着座者ｍの腰部や背部を支持可能とされている。
起立状態の背凭れ１２の背凭れ面１６の上部には、前方側に膨出して着座者ｍの頭部を支持する頭部支持面１７が設けられている。
【００２０】
また、背凭れ１２の下部寄りの左右両側部には、着座者ｍの肘や肘先を載せ置くための肘置き３が支持されている。肘置き３は、背凭れ１２の左右両側部から前方に延出し、上面側の平坦面に着座者ｍの肘や肘先を載せ置き可能とされている。着座面１４に着座した着座者ｍは、この肘置き３に肘先を載せて点滴を受けることができる。
本実施形態の場合、機構収納部１０の左側部には、略Ｌ字状の支持アーム４が取り付けられ、その支持アーム４の上部に物品載置台５が支持されている。
【００２１】
機構収納部１０の前部上端には、着座者ｍの下腿を支持する下腿受け部１８が、椅子幅方向に沿う回動軸１９を介して回動可能に連結されている。下腿受け部１８は、略平坦な下腿支持面２０を有している。下腿受け部１８は、座体１１の前部から下腿支持面２０が下方に急傾斜する初期位置と、下腿支持面２０が略水平になるレッグアップ位置との間で傾動可能とされている。
下腿受け部１８は、機構収納部１０内に収納されたモータや油圧シリンダ等のアクチュエータ１５によって傾動調整可能とされている。
【００２２】
また、下腿受け部１８の前端部には、着座者ｍの足を載せ置く足置き部２１が、椅子幅方向に沿う回動軸２２を介して回動可能に連結されている。下腿受け部１８と足置き部２１は、リンク機構２３によって相互に連動可能に連結されている。足置き部２１は、リンク機構２３による下腿受け部１８との連係により、略平坦な足置き面２４が常時略水平になるように設定されている。また、足置き部２１の下面には、フロア面Ｆ上に当接可能な補助脚２６が突設されている。補助脚２６は、下腿受け部１８が最大に下方傾斜した初期位置にあるときに、フロア面Ｆ上に当接する。これにより、着座者ｍが足置き部２１上に乗って着座する際や、足置き部２１上に乗って椅子装置１から降りる際に、着座者ｍの荷重を、補助脚２６を介して安定支持することができる。
本実施形態においては、下腿受け部１８と足置き部２１が膝下支持ブロック２５の主要部を構成している。
【００２３】
足置き部２１の下面の椅子幅方向の略中央領域には、側面視が略コ字状の支持部材２７の一端部が回動可能に支持されている。支持部材２７の一端部には回動軸２８が一体に取り付けられている。回動軸２８は、軸心が椅子幅方向に沿って延出する軸であり、足置き部２１の下面に回動可能に支持されている。
【００２４】
図３は、足置き部２１に対する支持部材２７の取付部を拡大して示した図である。また、図４，図５は、椅子装置１の使用時における足置き部２１上の様子を示す斜視図であり、図６は、椅子装置１の使用時における足置き部２１上の様子を示す上面図である。
支持部材２７は、図３に示すように、回動軸２８に連結された基部側延出部２７ａと、基部側延出部２７ａと平行に配置された先端側延出部２７ｃと、基部側延出部２７ａと先端側延出部２７ｃの前方側の端部を相互に連結する中間延出部２７ｂと、を有している。基部側延出部２７ａと中間延出部２７ｂ、中間延出部２７ｂと先端側延出部２７ｃは、夫々側面視で略直角に屈曲している。支持部材２７は、基部側延出部２７ａと先端側延出部２７ｃが前部斜め下方に設定角度傾斜した最大傾斜位置と、基部側延出部２７ａと先端側延出部２７ｃが略水平になる水平位置との間で傾動可能にされている。
【００２５】
支持部材２７の基部側延出部２７ａと、足置き部２１の下面側に設置された足置きフレーム２９には、回動調整ユニット３０（回動調整機構）が取り付けられている。回動調整ユニット３０は、足置きフレーム２９に結合される第１固定片３０ａと、支持部材の２７の基部側延出部２７ａに結合される第２固定片３０ｂと、第１固定片３０ａと第２固定片３０ｂの間に介装されて回動軸２８回りの支持部材２７の一方向（図３中の時計回り方向）の回動のみを許容する図示しないラチェット機構（ワンウェイ機構）と、支持部材２７の一方向の回動が可動端に達したときに、ラチェット機構を一時的に解除して、支持部材２７の回動軸２８回りの他方向（反時計方向）の回動を許容する図示しないリセット機構と、を備えている。
【００２６】
支持部材２７の先端側延出部２７ｃの端部には、椅子幅方向に沿って延出する足裏押し付けバー３２が結合されている。足裏押し付けバー３２は、先端側延出部２７ｃよりも椅子幅方向に長い円柱状の部材であり、着座者ｍがその外面に足裏５０ａ（図４参照）を押し付けられるようになっている。足裏押し付けバー３２は、金属製の棒状部材のみによって形成しても良いが、金属製の棒状部材の外周にクッション材やカバー部材等を被着した構成であっても良い。支持部材２７は、上述のように基部側延出部２７ａが回動調整ユニット３０を介して足置き部２１の下面に支持されているため、支持部材２７に連結された足裏押し付けバー３２は、足置き面２４の上方側において高さと前後位置とを調整することができる。
本実施形態においては、回動調整機構を内蔵する回動調整ユニット３０が、足裏押し付けバー３２の位置を調整可能な位置調整部を構成している。
【００２７】
足裏押し付けバー３２は、延出方向（椅子幅方向）の中央領域に支持部材２７の先端側延出部２７ｃが結合されている。このため、足裏押し付けバー３２の左右の各側部３２ｓと足置き面２４の間には、椅子幅方向の側方（左側の側方と右側の側方）に開放される側方開放部３３が形成されている。
【００２８】
足裏押し付けバー３２を支持する支持部材２７は、ラチェット機構（ワンウェイ機構）を内蔵する回動調整ユニット３０を介して足置きフレーム２９に取り付けられている。このため、着座者ｍが足裏５０ａを載せて上方や後方から足裏押し付けバー３２に荷重を入力すると、その荷重は回動調整ユニット３０を介して足置きフレーム２９によって受け止められる。したがって、例えば、着座者ｍが点滴中等に下腿部や足５０が攣ったとき等に、図４に示すように、足裏５０ａを足裏押し付けバー３２の外面に後部上方側から押し付け、それによって攣りを解消することができる。
【００２９】
また、足裏押し付けバー３２は、足置き面２４よりも一段高い位置に配置されているため、下腿部や足５０が攣ったとき以外でも、その外面に足裏５０ａを載せて足５０を休めたり、足爪の手入れを行うのに利用したりすることもできる。さらに、足裏押し付けバー３２は、着座中の着座者ｍの位置が前部下方側にずれたとき等には、足裏５０ａを足裏押し付けバー３２の上に載せて、脚部に力を入れて着座位置を元に戻すのに利用することもできる。
【００３０】
足裏押し付けバー３２は、以下のようにして着座者ｍが着座面１４に着座したまま前後位置と高さを調整することができる。
図５に示すように、足裏押し付けバー３２が、例えば、足置き面２４の上方の最も前部下方側位置にあるときには、着座者ｍは、足先５０ｂを足裏押し付けバー３２の側部３２ｓの下方に差し入れ、足先５０ｂの上部に足裏押し付けバー３２の側部３２ｓを引っ掛け、そのまま脚によって着座面１４の手前側に引き寄せる（図５中の黒塗り矢印参照）。このとき、足裏押し付けバー３２を支持している支持部材２７は、回動調整ユニット３０のラチェット機構によって後部上方側への自由な移動を許容されている。このため、足裏押し付けバー３２は、着座者ｍの足先５０ｂによる操作に応じた位置に調整される。そして、着座者ｍが任意の位置で足先５０ｂによる操作を終了して、足裏押し付けバー３２の後部上方側に足裏５０ａを載せると、回動調整ユニット３０のラチェット機構によって足裏５０ａの押し付け荷重が受け止められるようになる。
【００３１】
また、一度足裏押し付けバー３２を任意の高さに操作した後に、足裏押し付けバー３２を前部下方側に戻す場合には、着座者ｍは、足先５０ｂで足裏押し付けバー３２を後部上方側の可動端まで最大に変位させる。これにより、回動調整ユニット３０のリセット機構が機能して、ラチェット機構が一時的に解除される。この後、着座者ｍが足裏押し付けバー３２上に足裏５０ａを載せ置き、足裏押し付けバー３２を前部下方に押圧することにより、足裏押し付けバー３２は、着座者ｍによる押圧力と支持部材２７の重量バランス（支持部材２７の自重）によって、回動軸２８を中心として前部下方側の初期位置方向に回動変位する（図５中の点線矢印参照）。着座者ｍは、その後前述と同様にして、足裏押し付けバー３２を後部上方側の所望の位置に変位させることができる。
【００３２】
以上のように、本実施形態に係る椅子装置１は、足裏押し付けバー３２の椅子幅方向の左右の側部３２ｓと足置き部２１上の足置き面２４との間に側方開放部３３が設けられている。このため、図６に示すように、着座中の着座者ｍの足５０が足裏押し付けバー３２の下方に差し入れられ、その状態で下腿受け部１８と足置き部２１が傾動操作されることがあっても、着座者ｍは、足裏押し付けバー３２の下方に位置されている足５０を、図６中の仮想線で示すように、側方開放部３３を通して側方にずらすだけで足裏押し付けバー３２の下方から容易に引き抜くことができる。
したがって、着座者ｍの足５０や脛５１が足裏押し付けバー３２の下方にある状態で下腿受け部１８と足置き部２１が傾動操作されることがあっても、着座者ｍの足５０や脛５１が足裏押し付けバー３２に押し付けられるのを避けることができる。
【００３３】
なお、側方開放部３３は、足裏押し付けバー３２の左右のいずれか一方側にのみ設けることも可能であるが、本実施形態のように足裏押し付けバー３２の両側の側部３２ｓと足置き面２４の間に側方開放部３３を設けるようにした場合には、以下のようなさらなる効果を得ることができる。
即ち、左右のいずれの足５０が足裏押し付けバー３２の下方に差し入れられているときにも、近接する側の側方開放部３３を通して足裏押し付けバーの３２下方から容易に足を引き抜くことができる。特に、着座者ｍの足５０が、足裏押し付けバー３２の左右の対応する側の側部３２ｓの下方に差し入れられている状態では、図６に示すように、足首を外側に回しつつ足５０を外側にずらすことにより、足５０を足裏押し付けバー３２の下方から容易に引き抜くことができる。したがって、この構成を採用した場合には、着座者ｍの体に負担をかけない自然な挙動で足５０を足裏押し付けバー３２の下方から引き抜くことができる。
【００３４】
また、本実施形態に係る椅子装置１においては、足裏押し付けバー３２を支持する支持部材２７が回動調整ユニット３０を介して足置き部２１に位置調整可能に支持されている。このため、着座者ｍは、体型や好みに応じて足裏押し付けバー３２の位置を好適な位置に調整することができる。特に、本実施形態の場合、椅子幅方向に沿う回動軸２８の回りに回動する回動調整ユニット３０によって足裏押し付けバー３２の位置が調整可能とされているため、足裏押し付けバー３２の高さと前後位置とを好適な位置に調整することができる。
【００３５】
本実施形態に係る椅子装置１は、上述のように足裏押し付けバー３２の位置を回動調整ユニット３０によって好適な位置に調整できる反面、調整位置によっては、意図せずに着座者ｍの足が足裏押し付けバー３２の下方に移動する可能性が高くなる。しかし、本実施形態に係る椅子装置１においては、足裏押し付けバー３２の側部ｓと足置き部２１上の足置き面２４との間に側方開放部３３が設けられているため、着座者ｍの足５０が足裏押し付けバー３２の下方に意図せずに移動しても、着座者ｍは側方開放部３３を通して足５０を足裏押し付けバー３２の下方から側方に容易に引き抜くことができる。
【００３６】
また、本実施形態に係る椅子装置１においては、足裏押し付けバー３２の位置を調整するための回動調整ユニット３０が、足裏押し付けバー３２の後部上方側（着座面１４に近接する側）への変位のみを許容するラッチ機構（ワンウェイ機構）と、ラッチ機構が後部上方側の可動端に達したときに、ラッチ機構を一時解除して足裏押し付けバー３２の着座面１４から離反する側への変位を許容するリセット機構と、を備えている。このため、前述のように着座した状態の着座者ｍの足５０のみの操作によって、足裏押し付けバー３２の位置を任意の位置に容易に調整することができる。したがって、椅子装置１に着座した着座者ｍが点滴を受けているときのように、上半身を自由に動かすことができない状況においても、足裏押し付けバー３２の高さを好適な位置に調整することができる。
【００３７】
なお、本発明は上記の実施形態に限定されるものではなく、その要旨を逸脱しない範囲で種々の設計変更が可能である。例えば、上記の実施形態においては、足裏押し付けバー３２は、後部上方側の可動端に達してリセット機構がラチェット機構を解除したときに、自重によって初期位置方向に回動するようになっているが、回動調整ユニット３０等に足裏押し付けバー３２を初期位置方向に付勢する回動スプリング等の付勢手段を設けるようにしても良い。
【符号の説明】
【００３８】
１  椅子装置
２  椅子本体ブロック
１４  着座面
２０  下腿支持面
２４  足置き面
２５  膝下支持ブロック
２７  支持部材
２８  回動軸
３０  回動調整ユニット（位置調整部，回動調整機構）
３２  足裏押し付けバー
【図１】
2018183456.tif 000003
【図２】
2018183456.tif 000004
【図３】
2018183456.tif 000005
【図４】
2018183456.tif 000006
【図５】
2018183456.tif 000007
【図６】
2018183456.tif 000008